(57)【要約】【課題】自動車のドアの施解錠等の操作に用いられる車両用制御装置に関し、簡易な構成で、確実な操作が可能なものを提供することを目的とする。【解決手段】駆動手段２と施解錠手段３の間に制御手段１１を接続すると共に、この制御手段１１が施解錠手段３の施錠または解錠を判別し、検知手段１２からの検知信号に応じて、報知手段１３を作動させることによって、検知手段１２と報知手段１３が設けられた制御手段１１を接続するだけで、警報機能の付加を行うことができるため、手間が少なく簡易な構成で、確実な操作が可能な車両用制御装置を得ることができる。【選択図】図１
2014201099.tif 000002
【特許請求の範囲】
【請求項１】
送信装置からの操作信号を受信する受信手段と、この操作信号に応じて、施解錠手段へ施錠または解錠信号を出力する駆動手段からなり、上記駆動手段と施解錠手段の間に制御手段を接続すると共に、この制御手段が上記施解錠手段の施錠または解錠を判別し、検知手段からの検知信号に応じて、報知手段を作動させる車両用制御装置。
【発明の詳細な説明】
【技術分野】
【０００１】
本発明は、主に自動車のドアの施解錠等の操作に使用される車両用制御装置に関するものである。
【背景技術】
【０００２】
近年、車両のドアの施解錠等を、運転者が車両に近づき機械式キーによって直接操作することに加え、運転者が携帯した送信装置によって、離れた箇所から遠隔操作することが広く行われている。
【０００３】
このような従来の車両用制御装置について、図２を用いて説明する。
【０００４】
図２は従来の車両用制御装置のブロック回路図であり、同図において、１はアンテナ１Ａを備えた受信手段、２はマイコン等の駆動手段で、受信手段１が駆動手段２に接続されている。
【０００５】
また、３はモータやソレノイド等の施解錠手段、４は車両のドアの内側に装着されるスイッチで、この施解錠手段３とスイッチ４が駆動手段２に接続されて、車両用制御装置５が構成されている。
【０００６】
さらに、７はアンテナ７Ａを備えた送信装置で、略箱型で絶縁樹脂製のケース（図示せず）に機械式キーが固着されると共に、複数の操作キーや電池（図示せず）等が設けられて、運転者が携帯する送信装置７が形成されている。
【０００７】
そして、このような車両用制御装置５が自動車内に装着されると共に、駆動手段２がコネクタやリード線（図示せず）等を介して、車両の電子回路やバッテリ等に電気的に接続される。
【０００８】
以上の構成において、送信装置７を持った運転者が自動車から離れて、携帯した送信装置７の、例えば施錠用の操作キーを押圧操作すると、送信装置毎に異なる識別コードや操作コードから形成された施錠用の操作信号が、送信装置７からアンテナ７Ａを介して電波として送信される。
【０００９】
そして、この操作信号を車両側の車両用制御装置５の受信手段１が、アンテナ１Ａを介して受信し、駆動手段２が操作信号内の識別コード等によって運転者を確認した後、駆動手段２から所定の施錠信号が出力され、施解錠手段３が駆動して、例えばドアがロックされる。
【００１０】
あるいは、自動車に近づきながら、解錠用の操作キーを押圧操作した場合には、送信装置７から解錠用の操作信号が送信され、これを受信手段１が受信して、駆動手段２が運転者を確認した後、施解錠手段３に解錠信号が出力されて、ドアのロックが解除される。
【００１１】
また、運転者が運転席に座ってドアを閉めた後、ドアの内側に装着されたスイッチ４を所定方向へ操作すると、操作方向に応じた所定のスイッチング信号が、スイッチ４から駆動手段２へ出力され、駆動手段２が施解錠手段３を駆動して、ドアのロック、あるいはロックの解除が行われる。
【００１２】
つまり、車両に接近し携帯した機械式キーによって、ドアの施錠や解錠を直接行うことに加え、携帯した送信装置７の操作キーを操作することによって、ある程度離れた場所からでも、ドアの施錠や解錠を遠隔操作できると共に、車室内のスイッチ４を操作することによっても、ドアの施錠や解錠が行えるように構成されているものであった。
【００１３】
なお、この出願の発明に関連する先行技術文献情報としては、例えば、特許文献１が知られている。
【先行技術文献】
【特許文献】
【００１４】
【特許文献１】特開２０１０−２４８６９０号公報
【発明の概要】
【発明が解決しようとする課題】
【００１５】
しかしながら、上記従来の車両用制御装置においては、上記のような施解錠機能に加え新たな機能、例えば盗難防止用の警報機能等の他の機能を付加しようとした場合、現在車両に装着されている車両用制御装置を取り外し、新たに警報機能が設けられた車両用制御装置に取替える必要があるため、手間がかかり、高価なものになってしまうという課題があった。
【００１６】
本発明は、このような従来の課題を解決するものであり、簡易な構成で警報機能の付加が行え、確実な操作が可能な車両用制御装置を提供することを目的とする。
【課題を解決するための手段】
【００１７】
上記目的を達成するために本発明は、駆動手段と施解錠手段の間に制御手段を接続すると共に、この制御手段が施解錠手段の施錠または解錠を判別し、検知手段からの検知信号に応じて、報知手段を作動させるようにして、車両用制御装置を構成したものであり、検知手段と報知手段が設けられた制御手段を接続するだけで、警報機能の付加を行うことができるため、手間が少なく簡易な構成で、確実な操作が可能な車両用制御装置を得ることができるという作用を有するものである。
【発明の効果】
【００１８】
以上のように本発明によれば、簡易な構成で、確実な操作が可能な車両用制御装置を実現することができるという有利な効果が得られる。
【図面の簡単な説明】
【００１９】
【図１】本発明の一実施の形態による車両用制御装置のブロック回路図
【図２】従来の車両用制御装置のブロック回路図
【発明を実施するための形態】
【００２０】
以下、本発明の実施の形態について、図１を用いて説明する。
【００２１】
なお、背景技術の項で説明した構成と同一構成の部分には同一符号を付して、詳細な説明を簡略化する。
【００２２】
（実施の形態）
図１は本発明の一実施の形態による車両用制御装置のブロック回路図であり、同図において、１はアンテナ１Ａを備えた受信手段、２はマイコン等の駆動手段で、受信手段１が駆動手段２に接続されている。
【００２３】
また、３はモータやソレノイド等の施解錠手段、４は車両のドアの内側に装着されるスイッチで、この施解錠手段３とスイッチ４が駆動手段２に接続されている。
【００２４】
さらに、１１はマイコン等の制御手段で、この制御手段１１には車室内への侵入や車両の傾き、振動やドアの開閉等を検出するセンサやスイッチ等の検知手段１２と、ブザーやランプ等の報知手段１３が接続されている。
【００２５】
そして、この検知手段１２と報知手段１３が設けられた制御手段１１が、駆動手段２と施解錠手段３の間、及び駆動手段２とスイッチ４の間に接続されて、車両用制御装置１５が構成されている。
【００２６】
また、７はアンテナ７Ａを備えた送信装置で、略箱型で絶縁樹脂製のケース（図示せず）に機械式キーが固着されると共に、複数の操作キーや電池（図示せず）等が設けられて、運転者が携帯する送信装置７が形成されている。
【００２７】
そして、このような車両用制御装置１５が自動車内に装着されると共に、駆動手段２と制御手段１１がコネクタやリード線（図示せず）等を介して、車両の電子回路やバッテリ等に電気的に接続される。
【００２８】
以上の構成において、送信装置７を持った運転者が自動車から離れて、携帯した送信装置７の、例えば施錠用の操作キーを押圧操作すると、送信装置毎に異なる識別コードや操作コードから形成された施錠用の操作信号が、送信装置７からアンテナ７Ａを介して電波として送信される。
【００２９】
そして、この操作信号を車両側の車両用制御装置１５の受信手段１が、アンテナ１Ａを介して受信し、駆動手段２が操作信号内の識別コード等によって運転者を確認した後、駆動手段２から所定の施錠信号が出力され、施解錠手段３が駆動して、例えばドアがロックされる。
【００３０】
また、この時、駆動手段２から出力された施錠信号を、駆動手段２と施解錠手段３の間に接続された制御手段１１が検出し、施解錠手段３によってドアがロックされたことを判別して、警報機能が設定される。
【００３１】
さらに、この運転者が車両から離れドアがロックされた状態で、車室内への他者の侵入や、これによる車両の傾き、振動やドアの開閉等を検知手段１２が検出すると、この検知信号が制御手段１１に出力され、これに応じて制御手段１１が報知手段１３を作動させて、ブザーの吹鳴やランプの点滅等の、警報機能の作動が行われる。
【００３２】
また、運転者が自動車に近づきながら、解錠用の操作キーを押圧操作した場合には、送信装置７から解錠用の操作信号が送信され、これを受信手段１が受信して、駆動手段２が運転者を確認した後、施解錠手段３に解錠信号が出力されて、ドアのロックが解除される。
【００３３】
そして、この駆動手段２からの解錠信号を制御手段１１が検出し、施解錠手段３によってドアのロックが解除されたことを判別すると、制御手段１１が警報機能の作動を停止する。
【００３４】
さらに、運転者が運転席に座ってドアを閉めた後、ドアの内側に装着されたスイッチ４を所定方向へ操作すると、操作方向に応じた所定のスイッチング信号が、スイッチ４から駆動手段２へ出力され、駆動手段２が施解錠手段３を駆動して、ドアのロック、あるいはロックの解除が行われる。
【００３５】
なお、この時、スイッチ４から出力されたスイッチング信号と、駆動手段２から出力された施錠または解錠信号を、駆動手段２とスイッチ４の間、及び駆動手段２と施解錠手段３の間に接続された制御手段１１が検出するが、スイッチ４からのスイッチング信号が検出された場合には、制御手段１１による警報機能は設定されない。
【００３６】
つまり、車両に接近し携帯した機械式キーによって、ドアの施錠や解錠を直接行うことに加え、携帯した送信装置７の操作キーを操作することによって、ある程度離れた場所からでも、ドアの施錠や解錠を遠隔操作できると共に、車室内のスイッチ４を操作することによっても、ドアの施錠や解錠が行えるように構成されている。
【００３７】
そして、本発明においては、駆動手段２と施解錠手段３の間に制御手段１１を接続すると共に、この制御手段１１が駆動手段２からの施錠または解錠信号によって、施解錠手段３の施錠または解錠を判別し、検知手段１２からの検知信号に応じて、報知手段１３を作動させるように構成することで、手間が少なく簡易な構成で、施解錠機能に加え、警報機能の付加を容易に行うことができるようになっている。
【００３８】
すなわち、現在車両に装着されている受信手段１や駆動手段２、施解錠手段３やスイッチ４等を取替えることなく、検知手段１２と報知手段１３が設けられた制御手段１１を、駆動手段２と施解錠手段３の間に接続するだけで、盗難防止用の警報機能が付加された、車両用制御装置１５を形成することが可能なように構成されている。
【００３９】
また、駆動手段２と施解錠手段３の間に制御手段１１を接続し、この制御手段１１が駆動手段２からの施錠または解錠信号によって、ドアのロック状態を判別すると共に、検知手段１２からの検知信号に応じて、報知手段１３を作動、あるいはこれを停止させることで、警報機能の確実な作動が行えるようになっている。
【００４０】
さらに、制御手段１１を駆動手段２とスイッチ４の間にも接続し、制御手段１１が駆動手段２からの施錠または解錠信号に加え、スイッチ４からのスイッチング信号をも検出した場合には、検知手段１２から検知信号が出力されても、報知手段１３を作動させないように構成されている。
【００４１】
つまり、駆動手段２からの施錠または解錠信号のみを検出した場合には、制御手段１１が警報機能を設定し、検知手段１２からの検知信号に応じて、報知手段１３の作動や停止を行うが、スイッチ４からのスイッチング信号が検出された場合には、これによって運転者が車室内にいることを制御手段１１が判別し、警報機能を誤って作動させることのないようになっている。
【００４２】
このように本実施の形態によれば、駆動手段２と施解錠手段３の間に制御手段１１を接続すると共に、この制御手段１１が施解錠手段３の施錠または解錠を判別し、検知手段１２からの検知信号に応じて、報知手段１３を作動させることによって、検知手段１２と報知手段１３が設けられた制御手段１１を接続するだけで、警報機能の付加を行うことができるため、手間が少なく簡易な構成で、確実な操作が可能な車両用制御装置を得ることができるものである。
【００４３】
また、駆動手段２とスイッチ４の間にも制御手段１１を接続し、制御手段１１がスイッチ４からのスイッチング信号も検出することによって、警報機能の誤作動を防ぎ、より確実な操作を行うことができる。
【産業上の利用可能性】
【００４４】
本発明による車両用制御装置は、簡易な構成で、確実な操作が可能なものを得ることができるという有利な効果を有し、主に自動車のドアの施解錠等の制御用として有用である。
【符号の説明】
【００４５】
１  受信手段
１Ａ  アンテナ
２  駆動手段
３  施解錠手段
４  スイッチ
７  送信装置
７Ａ  アンテナ
１１  制御手段
１２  検知手段
１３  報知手段
１５  車両用制御装置
【図１】
2014201099.tif 000003
【図２】
2014201099.tif 000004